(57)【要約】【課題】  スピーカ本体を含めた装置全体の薄型化が促進できる「スピーカ装置」を提供すること。【解決手段】  スピーカ本体２１と設置母材２２と取付部材２３とで概略構成されるスピーカ装置であって、スピーカ本体２１には、磁気回路２４と、ボビン２５に巻装されたボイスコイル２６と、ボビン２５の後端部に連結された振動板２７およびダンパ３１と、振動板２７の外周部を支持するフレーム２９と、ダンパ３１の外周部を支持するカバー３０と、ボビン２５の後端部を蓋閉する防塵キャップ３２とが具備されている。取付部材２３は設置母材２２の後壁部２２ａにねじ止め固定されており、防塵キャップ３２には該ねじ止め固定部との干渉を回避するための逃げ部３２ａが設けてある。また、磁気回路２４の後端部には、逃げ部３２ａとの干渉を回避するための切欠き部２４ａが設けてある。【選択図】  図１
2005151210.tif 000002
【特許請求の範囲】
【請求項１】
スピーカ本体と、該スピーカ本体が取り付けられる設置母材と、該設置母材の壁部にねじ止め固定されて前記スピーカ本体を保持する取付部材とを備え、
前記スピーカ本体には、筒状のボビンに巻装されたボイスコイルと、該ボイスコイルが配置される磁気ギャップを有する磁気回路と、内周部が前記ボビンに連結されて該ボビンを包囲する振動板と、前記磁気回路に固定されて前記振動板の外周部を外周エッジ部を介して支持するフレームと、前記ボビンの端部を蓋閉して前記取付部材と対向する防塵キャップとが含まれるスピーカ装置において、
前記防塵キャップに前記ねじ止め固定部との干渉を回避するための逃げ部を設け、かつ、前記磁気回路に前記逃げ部との干渉を回避するための切欠き部を設けたことを特徴とするスピーカ装置。
【請求項２】
請求項１の記載において、前記設置母材には前記スピーカ本体の外周部に対向する複数の周縁保持部が設けてあり、これらの周縁保持部に前記フレームの外周部が固定されていることを特徴とするスピーカ装置。
【発明の詳細な説明】
【技術分野】
【０００１】
本発明は、スピーカ本体が設置母材に取り付けられてなる動電型のスピーカ装置に係り、特に、薄型化に好適なスピーカ装置に関する。
【背景技術】
【０００２】
従来より、円錐状の振動板の開口方向に磁気回路を配置し、この振動板でボビンをスカート状に包囲することにより、全体の高さ寸法を抑えた薄型化に好適な動電型のスピーカ本体が知られている（例えば、特許文献１参照）。
【０００３】
図４はかかるスピーカ本体を備えた従来のスピーカ装置を示す説明図である。同図に示すスピーカ装置は、スピーカ本体１と、このスピーカ本体１が取り付けられる設置母材（スピーカボックス）２と、この設置母材２の後壁部２ａにねじ止め固定されてスピーカ本体１を保持する取付部材３とによって主に構成されている。スピーカ本体１には、磁気ギャップＧを有する磁気回路４と、ボビン５に巻装されて磁気ギャップＧ内に配置されたボイスコイル６と、円錐状のコーン紙等からなり内周部がボビン５の後端部に接着固定された振動板７と、磁気回路４に固定されて振動板７の外周部を外周エッジ部８を介して支持するフレーム９と、このフレーム９の側壁部９ａに固定されたカバー１０と、内周部がボビン５の後端部に連結されて固定端側の外周部がカバー１０に取着されたダンパ１１と、ボビン５の後端部に冠着された防塵キャップ１２とが具備されており、振動板７が所定のテーパ角度でボビン５を包囲しているため全体の高さ寸法が抑えられている。また、磁気回路４は、軸線方向に沿って着磁された円環状のマグネット１３と、ポールピース部１４ａを有するヨーク１４と、マグネット１３の底面に固定されてポールピース部１４ａの外周面との間に磁気ギャップＧを形成しているトッププレート１５とによって構成されている。
【０００４】
設置母材２には、スピーカ本体１が配置される収納空間２ｂの周囲に複数の周縁保持部２ｃが設けられており、図示せぬ取付ねじを用いてフレーム９およびカバー１０の各外周部が一括して周縁保持部２ｃにねじ止め固定される。また、設置母材２の後壁部２ａには中央保持部２ｄが設けられており、この中央保持部２ｄの前方にスピーカ本体１の中央部が配置される。設置母材２の後壁部２ａとスピーカ本体１との間に介在する取付部材３は、その外周部がカバー１０の後端部に適宜手段で固定される。この取付部材３には設置母材２の中央保持部２ｄ上に載置される雌ねじ部３ａが設けられており、中央保持部２ｄを貫通する取付ねじ１６を雌ねじ部３ａに螺合させて締結することにより、取付部材３を介してカバー１０が後方へ引っ張られた状態でスピーカ本体１は中央保持部２ｄに固定される。すなわち、スピーカ本体１は、外周部の複数箇所が周縁保持部２ｃに位置決め固定されると共に、後方から取付部材３を介して中央保持部２ｄに牽引固定されるため、十分に大きな取付強度を確保することができ、それゆえこのスピーカ本体１は設置母材２に強固に取り付けられることになる。
【０００５】
このように構成されたスピーカ装置において、スピーカ本体１は、図示せぬリード線を介してボイスコイル６に音声電流が通電されると電磁力により該ボイスコイル６が振動するので、ボビン５を介して振動板７が駆動されて振動し、ラジオ音声や各種記録媒体の再生音声などの拡声が行えるようになっている。
【特許文献１】特開平４−１１１５９７号公報（第２頁、第１図）
【発明の開示】
【発明が解決しようとする課題】
【０００６】
前述した従来のスピーカ装置では、スピーカ本体１が薄型化に好適な構成になってはいるものの、振動板７に追従して振動する防塵キャップ１２が後方のねじ止め固定部（雌ねじ部３ａや取付ねじ１６等）に当接しないようにするため、相対向する防塵キャップ１２と取付部材３との間に広めの間隔を確保しておかねばならない。その結果、設置母材２の収納空間２ｂ内において、スピーカ本体１の後方に必要な奥行寸法が大きくなってしまい、これがスピーカ装置全体の薄型化を阻害する要因となっていた。
【０００７】
本発明は、このような従来技術の実情に鑑みてなされたもので、その目的は、スピーカ本体を含めた装置全体の薄型化が促進できるスピーカ装置を提供することにある。
【課題を解決するための手段】
【０００８】
本発明のスピーカ装置は、設置母材の壁部にねじ止め固定された取付部材と対向している防塵キャップに、該防塵キャップの振動時に懸念される前記ねじ止め固定部との干渉を回避するための逃げ部を設けると共に、該逃げ部が振動時に磁気回路と当接しないようにするため、磁気回路に切欠き部を設けた。
【発明の効果】
【０００９】
本発明のスピーカ装置は、振動板と共に振動する防塵キャップとスピーカ本体を保持する取付部材との間隔を狭めても、逃げ部を有する防塵キャップは該取付部材や取付ねじに当接しなくなり、また、振動時に逃げ部が磁気回路に当接しないように該磁気回路には切欠き部が設けてあるため、防塵キャップと磁気回路との間隔を広げる必要もない。したがって、スピーカ本体の薄型化を損なうことなく、設置母材を含むスピーカ装置全体の薄型化が促進できる。
【発明を実施するための最良の形態】
【００１０】
本発明では、スピーカ本体と、該スピーカ本体が取り付けられる設置母材と、該設置母材の壁部にねじ止め固定されて前記スピーカ本体を保持する取付部材とを備え、前記スピーカ本体には、筒状のボビンに巻装されたボイスコイルと、該ボイスコイルが配置される磁気ギャップを有する磁気回路と、内周部が前記ボビンに連結されて該ボビンを包囲する振動板と、前記磁気回路に固定されて前記振動板の外周部を外周エッジ部を介して支持するフレームと、前記ボビンの端部を蓋閉して前記取付部材と対向する防塵キャップとが含まれるスピーカ装置において、前記防塵キャップに前記ねじ止め固定部との干渉を回避するための逃げ部を設け、かつ、前記磁気回路に前記逃げ部との干渉を回避するための切欠き部を設ける構成とした。
【００１１】
スピーカ本体の防塵キャップに対向する位置に取付部材の雌ねじ部や取付ねじ等からなるねじ止め固定部が存するスピーカ装置では、振動時の防塵キャップが該ねじ止め固定部に当接しないように配慮しなければならないが、上述の如き構成のスピーカ装置は、防塵キャップに該ねじ止め固定部との干渉が回避できる逃げ部が設けてあるので、防塵キャップと取付部材および設置母材の壁部との間に広めの間隔を確保する必要がなくなる。また、このスピーカ装置は、磁気回路に該逃げ部との干渉が回避できる切欠き部が設けてあるので、振動時の防塵キャップが磁気回路に当接する心配もない。これにより、スピーカ本体の薄型化を損なうことなく、取付部材や設置母材に接近させてスピーカ本体を配置できるので、設置母材を含めたスピーカ装置全体の薄型化が図れる。
【００１２】
上記の構成において、設置母材にスピーカ本体の外周部に対向する複数の周縁保持部が設けてあり、これらの周縁保持部に前記フレームの外周部が固定されていることが好ましい。これにより、スピーカ本体はその中央部が取付部材を介して設置母材にめじ止め固定されるだけでなく、外周部の複数箇所が周縁保持部に固定されることになるため、十分に大きな取付強度でスピーカ本体を設置母材に取り付けることができる。
【実施例】
【００１３】
実施例について図面を参照して説明すると、図１は本発明の実施例に係るスピーカ装置の断面図、図２は該スピーカ装置の正面図、図３は該スピーカ装置の防塵キャップの可動範囲を示す説明図である。
【００１４】
これらの図に示すスピーカ装置は、スピーカ本体２１と、このスピーカ本体２１を収納して保持する設置母材（スピーカボックス）２２と、この設置母材２２の後壁部２２ａにねじ止め固定されてスピーカ本体２１を保持する取付部材２３とによって主に構成されている。
【００１５】
スピーカ本体２１には、磁気ギャップＧを有する磁気回路２４と、円筒状のボビン２５に巻装されて磁気ギャップＧ内に配置されたボイスコイル２６と、円錐状のコーン紙等からなり内周部がボビン２５の後端部に接着固定された振動板２７と、磁気回路２４に固定されて振動板２７の外周部を外周エッジ部２８を介して支持するフレーム２９と、このフレーム２９の外周部に固定されたカバー３０と、内周部がボビン２５の後端部に連結されて固定端側の外周部がカバー３０に取着されたダンパ３１と、凸状の逃げ部３２ａを有してボビン２５の後端部を蓋閉する位置に取着された防塵キャップ３２と、固定端側の内周部が磁気回路２４に取着されて外周部が振動板２７に連結されたダンパ３３とが具備されており、振動板２７が所定のテーパ角度でボビン２５および磁気水路２４を包囲しているため全体の高さ寸法が抑えられている。防塵キャップ３２の中央部に設けられた逃げ部３２ａは、その後方に位置するねじ止め固定部（後述する雌ねじ部２３ａと取付ねじ３７との締結部位）との干渉を回避するためのものである。なお、カバー３０は取付部材２３と一体形成してもよく、また、防塵キャップ３２も振動板２７の内周部に一体形成することが可能である。
【００１６】
前記磁気回路２４は、後端内縁にテーパ状の切欠き部２４ａを有するポールピース３４と、径方向に沿って着磁されてポールピース３４の外周部に固定された円環状のマグネット３５と、マグネット３５を包囲する円筒部３６ａを有してポールピース３４と一体化されたヨーク３６とによって構成される内磁型であり、マグネット３５とヨーク３６の円筒部３６ａとの間に磁気ギャップＧが形成されている。ただし、磁気回路２４は外磁型であってもよい。なお、ポールピース３４の後端部に設けられた切欠き部２４ａは、前記逃げ部３２ａとの干渉を回避するためのものであり、テーパ状に限らず湾曲した凹面であってもよい。
【００１７】
設置母材２２には、スピーカ本体２１が配置される収納空間２２ｂの周囲でフレーム２９の外周部と対向する位置に複数の周縁保持部２２ｃが設けられており、取付ねじ３８を用いてフレーム２９およびカバー３０の各外周部が一括して周縁保持部２２ｃにねじ止め固定されている。また、設置母材２２の後壁部２２ａには中央保持部２２ｄが設けられており、この中央保持部２２ｄの前方にスピーカ本体２１の中央部が配置される。設置母材２２の後壁部２２ａとスピーカ本体２１との間に介在する取付部材２３は、その外周部がカバー３０の後端部に溶接等の適宜手段で固定されている。この取付部材２３には、設置母材２２の中央保持部２２ｄ上に位置する雌ねじ部２３ａが設けられており、中央保持部２２ｄを貫通する取付ねじ３７を雌ねじ部２３ａに螺合させて締結することにより、取付部材２３を介してカバー３０が後方へ引っ張られた状態でスピーカ本体２１は中央保持部２２ｄに固定されている。これにより、スピーカ本体２１は、外周部の複数箇所が周縁保持部２２ｃに位置決め固定されると共に、後方から取付部材２３を介して中央保持部２２ｄに牽引固定されることになるので、十分に大きな取付強度を確保することができ、それゆえスピーカ本体２１は設置母材２２に強固に取り付けられている。
【００１８】
このように構成されたスピーカ装置において、スピーカ本体２１は、図示せぬリード線を介してボイスコイル２６に音声電流が通電されると、電磁力により該ボイスコイル２６が振動するので、ボビン２５を介して振動板２７が駆動されて振動し、ラジオ音声や各種記録媒体の再生音声などの拡声が行えるようになっている。
【００１９】
本実施例に係るスピーカ装置は、雌ねじ部２３ａと取付ねじ３７との締結部位であるねじ止め固定部が防塵キャップ３２に向かって設置母材２２の後壁部２２ａから突出していることを考慮して、防塵キャップ３２の中央部に予め該ねじ止め固定部との干渉を回避するための逃げ部３２ａが設けてあるので、防塵キャップ３２と取付部材２３および設置母材２２の後壁部２２ａとの間に広めの間隔を確保する必要がない。つまり、図３において、静止時の防塵キャップ３２と取付部材２３との間隔Ｄ１は、防塵キャップ３２の最大振幅量よりも僅かに大きな値に設定しておけばよい。また、スピーカ本体２１については、逃げ部３２ａが磁気回路２４側へ突出する凸状であることを考慮して、ポールピース３４の後端内縁に予めテーパ状の切欠き部２４ａが設けてあるので、静止時の防塵キャップ３２と磁気回路２４との間隔Ｄ２（図３参照）を特に広げなくても、振動時の防塵キャップ３２が前方のポールピース３４に当接する心配はない。したがって、このスピーカ装置は、スピーカ本体２１の薄型化を損なうことなく、設置母材２２の後壁部２２ａに対してスピーカ本体２１を接近して配置できるので、装置全体の薄型化が促進されている。
【００２０】
なお、防塵キャップ３２の逃げ部３２ａの形状が、雌ねじ部２３ａ等の形状に応じて適宜選択可能であることは言うまでもない。また、磁気回路２４には逃げ部３２ａと対向する部分に切欠き部２４ａを設ければよいので、逃げ部３２ａの形状や磁気回路２４の構成等に応じて切欠き部２４ａの形状が適宜選択可能であることも当然である。また、設置母材２２はスピーカボックスのように箱形のものに限らず、単なる板状の取付板であってもよい。
【図面の簡単な説明】
【００２１】
【図１】本発明の実施例に係るスピーカ装置の断面図である。
【図２】該スピーカ装置の正面図である。
【図３】該スピーカ装置の防塵キャップの可動範囲を示す説明図である。
【図４】従来例に係るスピーカ装置の説明図である。
【符号の説明】
【００２２】
２１  スピーカ本体
２２  設置母材
２２ａ  後壁部
２２ｃ  周縁保持部
２２ｄ  中央保持部
２３  取付部材
２３ａ  雌ねじ部
２４  磁気回路
２４ａ  切欠き部
２５  ボビン
２６  ボイスコイル
２７  振動板
２８  外周エッジ部
２９  フレーム
３０  カバー
３１  ダンパ
３２  防塵キャップ
３２ａ  逃げ部
３４  ポールピース
３５  マグネット
３６  ヨーク
３７  取付ねじ
Ｇ  磁気ギャップ
【図１】
2005151210.tif 000003
【図２】
2005151210.tif 000004
【図３】
2005151210.tif 000005
【図４】
2005151210.tif 000006